(57)【特許請求の範囲】
【請求項１】
液晶パネルの第１の表示コンテンツにおける各画素点の赤、緑、青の３つのコンポーネントの階調値のうち最大値を当該画素点の階調値として取得するステップと、
前記第１の表示コンテンツにおける各画素点の階調値がいずれも所定値より小さいことに応じて、前記液晶パネルのリフレッシュレートを第１のリフレッシュレートから第２のリフレッシュレートに調整するステップと、を含み、
前記第２のリフレッシュレートは、前記第１のリフレッシュレートより小さいことを特徴とする液晶表示方法。
【請求項２】
前記第１の表示コンテンツにおける各画素点の階調値がいずれも所定値より小さいことに応じて、前記液晶パネルのリフレッシュレートを第１のリフレッシュレートから第２のリフレッシュレートに調整するステップは、
前記第１の表示コンテンツにおける各画素点の階調値がいずれも所定値より小さいことに応じて、プロセッサがリフレッシュレート調整指令を表示チップへ送信し、
前記表示チップが前記リフレッシュレート調整指令に応じて、前記液晶パネルのリフレッシュレートを第１のリフレッシュレートから第２のリフレッシュレートに調整する
ことを特徴とする請求項１に記載の液晶表示方法。
【請求項３】
前記第１の表示コンテンツにおける各画素点の階調値がいずれも所定値より小さいことに応じて、前記液晶パネルのリフレッシュレートを第１のリフレッシュレートから第２のリフレッシュレートに調整するステップは、
前記第１の表示コンテンツにおける各画素点の階調値がいずれも所定値より小さいことに応じて、表示チップが前記液晶パネルのリフレッシュレートを第１のリフレッシュレートから第２のリフレッシュレートに調整することを特徴とする請求項１に記載の液晶表示方法。
【請求項４】
前記液晶パネルの第２の表示コンテンツにおける各画素点の階調値を取得するステップと、
階調値が前記所定値以上である画素点が前記第２の表示コンテンツに少なくとも１つ存在することに応じて、前記液晶パネルのリフレッシュレートを前記第２のリフレッシュレートから前記第１のリフレッシュレートに調整するステップと、をさらに含み、
前記第２の表示コンテンツは、前記第１の表示コンテンツの後に表示された表示コンテンツであることを特徴とする請求項１乃至３のいずれか一項に記載の液晶表示方法。
【請求項５】
表示コンテンツが所定時間内で変化しない静的表示モードと前記表示コンテンツが前記所定時間内で変化する動的表示モードとを含む現在表示モードを取得するステップと、
前記現在表示モードが前記静的表示モードであることに応じて、前記液晶パネルの第１の表示コンテンツにおける各画素点の階調値の取得を実行するステップと、をさらに含むことを特徴とする請求項１乃至３のいずれか一項に記載の液晶表示方法。
【請求項６】
液晶パネルの第１の表示コンテンツにおける各画素点の赤、緑、青の３つのコンポーネントの階調値のうち最大値を当該画素点の階調値として取得するように構成される第１の取得モジュールと、
前記第１の表示コンテンツにおける各画素点の階調値がいずれも所定値より小さいことに応じて、前記液晶パネルのリフレッシュレートを第１のリフレッシュレートから第２のリフレッシュレートに調整するように構成される第１の調整モジュールと、を備え、
前記第２のリフレッシュレートは、前記第１のリフレッシュレートより小さいことを特徴とする液晶表示装置。
【請求項７】
前記第１の調整モジュールは、
前記第１の表示コンテンツにおける各画素点の階調値がいずれも所定値より小さいことに応じて、プロセッサを通じてリフレッシュレート調整指令を表示チップへ送信するように構成される第１の送信サブモジュールと、
前記リフレッシュレート調整指令に応じて、前記表示チップを通じて前記液晶パネルのリフレッシュレートを第１のリフレッシュレートから第２のリフレッシュレートに調整するように構成される第１の調整サブモジュールと、を備えることを特徴とする請求項６に記載の液晶表示装置。
【請求項８】
前記第１の調整モジュールは、
前記第１の表示コンテンツにおける各画素点の階調値がいずれも所定値より小さいことに応じて、表示チップを通じて前記液晶パネルのリフレッシュレートを第１のリフレッシュレートから第２のリフレッシュレートに調整することを特徴とする請求項６に記載の液晶表示装置。
【請求項９】
前記液晶パネルの第２の表示コンテンツにおける各画素点の階調値を取得するように構成される第２の取得モジュールと、
階調値が前記所定値以上である画素点が前記第２の表示コンテンツに少なくとも１つ存在することに応じて、前記液晶パネルのリフレッシュレートを前記第２のリフレッシュレートから前記第１のリフレッシュレートに調整するように構成される第２の調整モジュールと、をさらに備え、
前記第２の表示コンテンツは、前記第１の表示コンテンツの後に表示された表示コンテンツであることを特徴とする請求項６乃至８のうちのいずれか一項に記載の液晶表示装置。
【請求項１０】
表示コンテンツが所定時間内で変化しない静的表示モードと前記表示コンテンツが前記所定時間内で変化する動的表示モードとを含む現在表示モードを取得するように構成される取得モジュールをさらに備え、
前記第１の取得モジュールは、前記現在表示モードが前記静的表示モードであることに応じて、前記液晶パネルの第１の表示コンテンツにおける各画素点の階調値を取得するように構成されることを特徴とする請求項６乃至８のうちのいずれか一項に記載の液晶表示装置。
【請求項１１】
プロセッサと、
プロセッサに接続された表示チップと、
前記プロセッサが実行できる指令を記憶するためのメモリと、を備え、
前記プロセッサあるいは前記表示チップは、
液晶パネルの第１の表示コンテンツにおける各画素点の赤、緑、青の３つのコンポーネントの階調値のうち最大値を当該画素点の階調値として取得し、
前記第１の表示コンテンツにおける各画素点の階調値がいずれも所定値より小さいことに応じて、前記液晶パネルのリフレッシュレートを第１のリフレッシュレートから前記第１のリフレッシュレートより小さい第２のリフレッシュレートに調整するように構成されることを特徴とする液晶表示装置。
【発明の詳細な説明】
【技術分野】
【０００１】
本発明は、液晶表示分野に関し、特に、液晶表示方法および装置に関する。
【背景技術】
【０００２】
端末のほとんどが充電電池で給電されるため、端末の消費電力制御は、非常に重要である。
【０００３】
現在、端末の消費電力は、主に、液晶パネル、表示チップおよびバックライト光源の３つの要素に起因する。関連技術では、端末の消費電力を低減する際、バックライト光源の消費電力を低減することで端末の消費電力を低減する。
【発明の概要】
【発明が解決しようとする課題】
【０００４】
端末の消費電力を如何に低減するかの問題を解決するために、本発明は、液晶表示方法および装置を提供する。前記技術案は、下記の通りである。
【課題を解決するための手段】
【０００５】
本発明の実施例の第１の態様によれば、液晶表示方法を提供する。当該方法は、
液晶パネルの第１の表示コンテンツにおける各画素点の階調値を取得するステップと、
第１の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整するステップと、を含む。
【０００６】
好ましくは、第１の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整するステップは、
第１の表示コンテンツにおける各画素点の階調値がいずれも所定値より小さいことに応じて、プロセッサがリフレッシュレート調整指令を表示チップへ送信し、
表示チップがリフレッシュレート調整指令に応じて、液晶パネルのリフレッシュレートを第１のリフレッシュレートから第２のリフレッシュレートへ調整する。
【０００７】
好ましくは、第１の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整するステップは、
第１の表示コンテンツにおける各画素点の階調値がいずれも所定値より小さいことに応じて、表示チップが液晶パネルのリフレッシュレートを第１のリフレッシュレートから第２のリフレッシュレートへ調整する。
【０００８】
好ましくは、当該方法は、さらに、
液晶パネルの第２の表示コンテンツにおける各画素点の階調値を取得するステップと、
階調値が所定値以上である画素点が第２の表示コンテンツに少なくとも１つ存在することに応じて、液晶パネルのリフレッシュレートを第２のリフレッシュレートから第１のリフレッシュレートに調整するステップと、を含み、
第２の表示コンテンツは、第１の表示コンテンツの後に表示された表示コンテンツである。
【０００９】
好ましくは、当該方法は、さらに、
表示コンテンツが所定時間内で変化しない静的表示モードと表示コンテンツが所定時間内で変化する動的表示モードとを含む現在表示モードを取得するステップと、
現在表示モードが静的表示モードであることに応じて、液晶パネルの第１の表示コンテンツにおける各画素点の階調値の取得を実行するステップと、を含む。
【００１０】
本発明の実施例の第２の態様によれば、液晶表示装置を提供する。当該装置は、
液晶パネルの第１の表示コンテンツにおける各画素点の階調値を取得するように構成される第１の取得モジュールと、
第１の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整するように構成される第１の調整モジュールと、を備える。
【００１１】
好ましくは、第１の調整モジュールは、
第１の表示コンテンツにおける各画素点の階調値がいずれも所定値より小さいことに応じて、プロセッサを通じてリフレッシュレート調整指令を表示チップへ送信するように構成される第１の送信サブモジュールと、
リフレッシュレート調整指令に応じて、表示チップを通じて液晶パネルのリフレッシュレートを第１のリフレッシュレートから第２のリフレッシュレートへ調整するように構成される第１の調整サブモジュールと、を備える。
【００１２】
好ましくは、第１の調整モジュールは、
第１の表示コンテンツにおける各画素点の階調値がいずれも所定値より小さいことに応じて、表示チップを通じて液晶パネルのリフレッシュレートを第１のリフレッシュレートから第２のリフレッシュレートへ調整するように構成される。
【００１３】
好ましくは、当該装置は、さらに、
液晶パネルの第２の表示コンテンツにおける各画素点の階調値を取得するように構成される第２の取得モジュールと、
階調値が所定値以上である画素点が第２の表示コンテンツに少なくとも１つ存在することに応じて、液晶パネルのリフレッシュレートを第２のリフレッシュレートから第１のリフレッシュレートに調整するように構成される第２の調整モジュールと、を備え、
第２の表示コンテンツは、第１の表示コンテンツの後に表示された表示コンテンツである。
【００１４】
好ましくは、当該装置は、
表示コンテンツが所定時間内で変化しない静的表示モードと表示コンテンツが所定時間内で変化する動的表示モードとを含む現在表示モードを取得するように構成される取得モジュールをさらに備え、
第１の取得モジュールは、現在表示モードが静的表示モードであることに応じて、液晶パネルの第１の表示コンテンツにおける各画素点の階調値を取得するように構成される。
【００１５】
本発明の実施例の第３の態様によれば、液晶表示装置を提供する。当該装置は、
プロセッサと、
プロセッサに接続された表示チップと、
プロセッサの実行可能な指令を記憶するためのメモリと、を備え、
プロセッサあるいは表示チップは、
液晶パネルの第１の表示コンテンツにおける各画素点の階調値を取得し、
第１の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整するように構成される。
【発明の効果】
【００１６】
本発明の実施例に供される技術案は、以下の格別な作用効果を奏することができる。
【００１７】
液晶パネルの第１の表示コンテンツにおける各画素点の階調値を取得し、現在の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整することにより、バックライト光源の消費電力を低減するだけで端末の消費電力を低減し、消費電力の低減に限度があるという関連技術の問題を解決し、端末における液晶パネルおよび表示チップの消費電力の低減を図るため、端末の消費電力を低減する効果を一層高める。
【００１８】
以上の一般的な記述および後述する詳細な説明は、例示的なものであり、本発明を制限するためのものでないことは、理解されるべきである。
【図面の簡単な説明】
【００１９】
ここでの図面は、明細書を構成する一部として見なされ、本発明に適した実施例を示し、かつ、明細書の文字記載とともに本発明の仕組みを解釈するために用いられる。
【図１】本発明の各実施例による端末を示す模式図である。
【図２】本発明の各実施例による液晶セル配列方式を示す模式図である。
【図３】一実施例による液晶表示方法を示すフローチャートである。
【図４】別の実施例による液晶表示方法を示すフローチャートである。
【図５】別の実施例による液晶表示方法を示すフローチャートである。
【図６】別の実施例による液晶表示方法を示すフローチャートである。
【図７】一実施例による液晶表示装置を示すブロック図である。
【図８】別の実施例による液晶表示装置を示すブロック図である。
【図９】別の実施例による液晶表示装置を示すブロック図である。
【図１０】別の実施例による液晶表示装置を示すブロック図である。
【図１１】別の実施例による液晶表示装置を示すブロック図である。
【発明を実施するための形態】
【００２０】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００２１】
図１は、本発明の各実施例による端末を示す模式図である、当該端末は、プロセッサ１２０と、表示チップ１４０と、液晶パネル１６０とを備える。当該端末は、スマートフォン、スマートテレビ、タブレットＰＣ、電子書籍リーダー、ＭＰ３プレーヤー（Ｍｏｖｉｎｇ Ｐｉｃｔｕｒｅ Ｅｘｐｅｒｔｓ Ｇｒｏｕｐ Ａｕｄｉｏ Ｌａｙｅｒ ＩＩＩ、動画専門家集団圧縮規格オーディオレーヤー３）、ＭＰ４（Ｍｏｖｉｎｇ Ｐｉｃｔｕｒｅ Ｅｘｐｅｒｔｓ Ｇｒｏｕｐ Ａｕｄｉｏ Ｌａｙｅｒ ＩＶ、動画専門家集団圧縮規格オーディオレーヤー４）プレーヤーおよびラップトップ型携帯用コンピュータ（カメラ、ビデオカメラ）等であってもよい。
【００２２】
プロセッサ１２０は、応用プロセッサあるいはグラフィックプロセッサであってもよい。
【００２３】
表示チップ１４０は、ＤＤＩＣ（Ｄｉｓｐｌａｙ Ｄｒｉｖｅｒ Ｉｎｔｅｇｒａｔｅｄ Ｃｉｒｃｕｉｔ 、ディスプレイ用ドライバー集積電路）を含んでもよく、液晶パネル１６０における表示コンテンツに対する制御を実現可能である。
【００２４】
液晶パネル１６０は、表示チップ１４０の制御に基づいて表示してもよく、液晶パネル１６０にｍ*ｎ個の液晶セルが含まれ、液晶セルの配列方式は、模式に図２に示すように、１つの液晶セル２２０が１つの画素点を表す。通常、表示チップ１４０は、所定のリフレッシュレート、例えば６０Ｈｚに基づいて液晶パネル１６０をリフレッシュする。
【００２５】
図３は、本発明の一実施例による液晶表示方法を示すフローチャートである。本実施例は、当該液晶表示方法を図１に示す端末に適用することを例として説明する。当該方法は、以下のステップを含んでもよい。
【００２６】
ステップ３０１では、液晶パネルの第１の表示コンテンツにおける各画素点の階調値を取得する。
【００２７】
第１の表示コンテンツが液晶パネル１６０におけるｍ*ｎ個の液晶セル上に表示されたフレームコンテンツであり、第１の表示コンテンツがｍ*ｎ個の画素点を含み、各画素点が各自の階調値を有する。好ましくは、階調値の値の範囲が０〜２５５であり、階調値が０であるとき、黒色を表し、階調値が２５５であるとき、白色を表す。
【００２８】
好ましくは、第１の表示コンテンツは、画像フレーム、ビデオフレーム、ユーザインターフェース等であってもよい。
【００２９】
好ましくは、本ステップは、プロセッサあるいは表示チップによって実行される。
【００３０】
ステップ３０２では、第１の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整する。
【００３１】
階調値が非常に低いとき、画素点の表示色が黒色あるいは黒色に近い色であるため、リフレッシュレートを下げても画素点の表示に影響しないので、第１の表示コンテンツのあらゆる画素点の階調値がいずれも所定値より小さいとき、つまり、第１の表示コンテンツの全体表示画面が黒色あるいは黒色に近い色であるとき、液晶パネルのリフレッシュレートを第１のリフレッシュレートから第２のリフレッシュレートに下げる。
【００３２】
好ましくは、第１のリフレッシュレートがデフォルトのリフレッシュレートであり、例えば、５０Ｈｚ、６０Ｈｚあるいは１４４Ｈｚであり、第２のリフレッシュレートが低いリフレッシュレートであり、例えば、１Ｈｚ、２Ｈｚあるいは５Ｈｚ等である。
【００３３】
このように、本発明の実施例に供される液晶表示方法によれば、液晶パネルの第１の表示コンテンツにおける各画素点の階調値を取得し、現在の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整することにより、バックライト光源の消費電力を低減するだけで端末の消費電力を低減し、消費電力の低減に限度があるという関連技術の問題を解決し、端末における液晶パネルおよび表示チップの消費電力の低減を図るため、端末の消費電力を低減する効果を一層高める。
【００３４】
上記実施例では、ステップ３０１およびステップ３０２は、図４に示す実施例に対応して、プロセッサによって実行されてもよいし、さらに、図５に示す実施例に対応して、表示チップによって実行されてもよい。
【００３５】
図４は、本発明の別の実施例による液晶表示方法を示すフローチャートである。本実施例は、当該液晶表示方法を図１に示す端末に適用することを例として説明する。当該方法は、下記のステップを含む。
【００３６】
ステップ４０１では、液晶パネルの第１の表示コンテンツにおける各画素点の階調値を取得する。
【００３７】
好ましくは、液晶パネルの第１の表示コンテンツがｍ*ｎ個の画素点を含み、各画素点が赤、緑、青の３つのサブ画素を含む。ｍとｎは、どちらも正整数である。
【００３８】
液晶パネルが８ビットパネルであることを例とすると、各サブ画素は、いずれも２５６個の輝度レベル、即ち、階調値が存在する。各画素の色は、いずれも赤、緑、青の３つのサブ画素の階調値の変化に基づいて、加算して混合することで生成されるものであり、画素点の階調値が小さければ小さいほど、画素点の色が黒色に近くなる。
【００３９】
好ましくは、液晶パネルは、さらに１０ビットパネルまたは他のビット数のパネルであってもよく、その際、画素点の各サブ画素は、より多くの輝度レベルを含む。
【００４０】
プロセッサが液晶パネルの第１の表示コンテンツの各画素点の階調値を取得し、各画素点の階調値が赤、緑、青の３つのコンポーネントの階調値を含む。好ましくは、各画素点について、プロセッサは、それらの３つのコンポーネントの階調値のうち最大値Ｑを当該画素点の階調値として選定する。
【００４１】
プロセッサは、第１の表示コンテンツにおける各画素点の階調値が所定値より小さいかどうかを検出する。当該所定値は、黒色あるいは黒色に近い色に対応する階調値である。例えば、所定値が０、または、所定値が５等である。所定値は、端末によって予め設定された適当な閾値であってもよいし、ユーザによってカスタマイズされた閾値であってもよい。本発明の実施例は、それについて限定しない。
【００４２】
第１の表示コンテンツにおける各画素点の階調値がいずれも所定値より小さいことに応じて、プロセッサ液晶パネルのリフレッシュレートを第１のリフレッシュレートから当該第１のリフレッシュレートより小さい第２のリフレッシュレートへ調整するステップは、以下のステップ４０２およびステップ４０３を含む。
【００４３】
ステップ４０２では、第１の表示コンテンツにおける各画素点の階調値がいずれも所定値より小さいことに応じて、プロセッサがリフレッシュレート調整指令を表示チップへ送信する。
【００４４】
プロセッサは、各画素点の階調値を所定値と比較し、各画素点の階調値がいずれも所定値より小さいと判断したとき、プロセッサリフレッシュレート調整指令を表示チップへ送信する。
【００４５】
ステップ４０３では、リフレッシュレート調整指令に応じて、表示チップが液晶パネルのリフレッシュレートを第１のリフレッシュレートから第２のリフレッシュレートへ調整する。
【００４６】
液晶パネルのデフォルトリフレッシュレートあるいは初期リフレッシュレートが第１のリフレッシュレートであり、つまり、表示チップが生成した表示コンテンツを液晶パネルへ送信する頻度は、第１のリフレッシュレートであり、好ましくは、第１のリフレッシュレートは、６０Ｈｚである。
【００４７】
表示チップは、プロセッサから送信されたリフレッシュ調整指令を受信して、液晶パネルのリフレッシュレートを第２のリフレッシュレートに調整する。即ち、表示チップは、第２のリフレッシュレートに基づいて表示コンテンツを液晶パネルへ送信する。第２のリフレッシュレートは、第１のリフレッシュレートより低く、好ましくは、第２のリフレッシュレートは、１Ｈｚである。
【００４８】
好ましくは、階調値が所定値以上である画素点が第１の表示コンテンツに少なくとも１つ存在するとプロセッサが判断したとき、液晶パネルのリフレッシュレートを第１のリフレッシュレートのまま維持する。
【００４９】
説明すべきことは、表示チップによって生成された表示コンテンツのフレームレートが液晶パネルのリフレッシュレートより小さいとき、現在のフレームと直前のフレームとを比較した結果が、表示コンテンツが同じである場合、現在のリフレッシュレートをそのまま維持する。また、その際における表示コンテンツ中の各画素点の階調値を再び取得して再度判断する必要がない。
【００５０】
ステップ４０４では、液晶パネルの第２の表示コンテンツにおける各画素点の階調値を取得し、第２の表示コンテンツは、第１の表示コンテンツの後に表示された表示コンテンツである。
【００５１】
第２の表示コンテンツとは、液晶パネル１６０におけるｍ*ｎ個の液晶セル上に表示されたフレームコンテンツを指し、第２の表示コンテンツは、ｍ*ｎ個の画素点を含む。
【００５２】
プロセッサが第２の表示コンテンツの各画素点の階調値を取得する方法がステップ４０１において第１の表示コンテンツの各画素点の階調値を取得する方法とは同じであるため、本実施例は、それについて繰り返し説明しない。
【００５３】
階調値が所定値以上である画素点が第２の表示コンテンツに少なくとも１つ存在することに応じて、プロセッサは、液晶パネルのリフレッシュレートを第２のリフレッシュレートから第１のリフレッシュレートに調整する。それは、以下のステップ４０５およびステップ４０６を含む。
【００５４】
ステップ４０５では、階調値が所定値以上である画素点が第２の表示コンテンツに少なくとも１つ存在することに応じて、プロセッサがリフレッシュレート調整指令を表示チップへ送信する。
【００５５】
プロセッサは、第２の表示コンテンツにおける各画素点の階調値を所定値と比較し、階調値が所定値以上の画素点が少なくとも１つ存在するとプロセッサが判断したとき、プロセッサは、リフレッシュレート調整指令を表示チップへ送信する。
【００５６】
ステップ４０６では、リフレッシュレート調整指令に応じて、表示チップが液晶パネルのリフレッシュレートを第２のリフレッシュレートから第１のリフレッシュレートに調整する。
【００５７】
表示チップは、プロセッサから送信されたリフレッシュ調整指令を受信して、液晶パネルのリフレッシュレートを第２のリフレッシュレートから第１のリフレッシュレートに調整する。
【００５８】
好ましくは、第２の表示コンテンツの各画素点の階調値がいずれも所定値より小さいとプロセッサが判断したとき、液晶パネルのリフレッシュレートを第２のリフレッシュレートのまま維持する。
【００５９】
説明すべきことは、上記「第１の」および「第２の」が、特別に指定する意味を持たず、液晶パネル上に表示された任意の２つのフレームの隣接するフレームコンテンツを指してもよい。
【００６０】
このように、本発明の実施例に供される液晶表示方法によれば、液晶パネルの第１の表示コンテンツにおける各画素点の階調値を取得し、現在の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整することにより、バックライト光源の消費電力を低減するだけで端末の消費電力を低減し、消費電力の低減に限度があるという関連技術の問題を解決し、端末における液晶パネルおよび表示チップの消費電力の低減を図るため、端末の消費電力を低減する効果を一層高める。
【００６１】
このように、本発明の実施例に供される方法では、表示コンテンツの各画素点の階調値がいずれも所定値より小さい場合、つまり、表示コンテンツの輝度が低い場合に限って、液晶パネルのリフレッシュレートを低減する一方、表示コンテンツの輝度が高い場合、高いリフレッシュレートを維持するため、端末の消費電力を低減するに加えて、表示コンテンツの正常表示の効果も保証され、基本的に表示効果に影響を与えない。
【００６２】
図５は、本発明の別の実施例による液晶表示方法を示すフローチャートである。本実施例は、当該液晶表示方法を図１に示す端末に適用することを例として説明する。当該方法は、下記のステップを含む。
【００６３】
ステップ５０１では、液晶パネルの第１の表示コンテンツにおける各画素点の階調値を取得する。
【００６４】
好ましくは、液晶パネルの第１の表示コンテンツがｍ*ｎ個の画素点を含み、各画素点は、赤、緑、青の３つのサブ画素を含む。ｍとｎは、どちらも正整数である。
【００６５】
液晶パネルが８ビットパネルであることを例とすると、各サブ画素は、いずれも２５６個の輝度レベル、即ち、階調値が存在する。各画素の色は、いずれも赤、緑、青の３つのサブ画素の階調値の変化に基づいて、加算して混合することで生成されるものであり、画素点の階調値が小さければ小さいほど、画素点の色が黒色に近くなる。
【００６６】
好ましくは、液晶パネルは、さらに１０ビットパネルまたは他のビット数のパネルであってもよく、その際、画素点の各サブ画素は、より多くの輝度レベルを含む。
【００６７】
表示チップが液晶パネルの第１の表示コンテンツの各画素点の階調値を取得し、各画素点の階調値が赤、緑、青の３つのコンポーネントの階調値を含む。好ましくは、各画素点について、表示チップは、それらの３つのコンポーネントの階調値のうち最大値Ｇを当該画素点の階調値として選定する。
【００６８】
表示チップは、第１の表示コンテンツにおける各画素点の階調値が所定値より小さいかどうかを検出する。当該所定値は、黒色あるいは黒色に近い色に対応する階調値である。例えば、所定値が０、または、所定値が５等である。所定値は、端末によって予め設定された適当な閾値であってもよいし、ユーザによってカスタマイズされた閾値であってもよい。本発明の実施例は、それについて限定しない。
【００６９】
ステップ５０２では、第１の表示コンテンツにおける各画素点の階調値がいずれも所定値より小さいことに応じて、表示チップは、液晶パネルのリフレッシュレートを第１のリフレッシュレートから当該第１のリフレッシュレートより小さい第２のリフレッシュレートへ調整する。
【００７０】
液晶パネルのデフォルトリフレッシュレートあるいは初期リフレッシュレートが第１のリフレッシュレートであり、つまり、表示チップが生成した表示コンテンツを液晶パネルへ送信する頻度は、第１のリフレッシュレートであり、好ましくは、第１のリフレッシュレートは、６０Ｈｚである。
【００７１】
表示チップは、取得した各画素点の階調値を所定値と比較し、各画素点の階調値がいずれも所定値より小さいと判断したとき、表示チップは、液晶パネルのリフレッシュレートを第２のリフレッシュレートに調整する。つまり、表示チップは、第２のリフレッシュレートに基づいて表示コンテンツを液晶パネルへ送信し、第２のリフレッシュレートは、第１のリフレッシュレートより小さく、好ましくは、第２のリフレッシュレートは、１Ｈｚである。
【００７２】
好ましくは、階調値が所定値以上である画素点が第１の表示コンテンツに少なくとも１つ存在すると表示チップが判断したとき、液晶パネルのリフレッシュレートを第１のリフレッシュレートのまま維持する。
【００７３】
説明すべきことは、表示チップによって生成された表示コンテンツのフレームレートが液晶パネルのリフレッシュレートより小さいとき、現在のフレームと直前のフレームとを比較した結果が、表示コンテンツが同じである場合、現在のリフレッシュレートをそのまま維持する。また、その際における表示コンテンツ中の各画素点の階調値を再び取得して再度判断する必要がない。
【００７４】
ステップ５０３では、液晶パネルの第２の表示コンテンツにおける各画素点の階調値を取得し、第２の表示コンテンツは、第１の表示コンテンツの後に表示された表示コンテンツである。
【００７５】
第２の表示コンテンツも、液晶パネル１６０におけるｍ*ｎ個の液晶セル上に表示されたフレームコンテンツであり、第２の表示コンテンツは、ｍ*ｎ個の画素点を含む。
【００７６】
表示チップが第２の表示コンテンツの各画素点の階調値を取得する方法がステップ５０１において第１の表示コンテンツの各画素点の階調値を取得する方法とは同じであるため、本実施例は、それについて繰り返し説明しない。
【００７７】
ステップ５０４では、階調値が所定値以上である画素点が第２の表示コンテンツに少なくとも１つ存在することに表示チップが応じたことにより、表示チップは、液晶パネルのリフレッシュレートを第２のリフレッシュレートから第１のリフレッシュレートに調整する。
【００７８】
表示チップは、第２の表示コンテンツにおける各画素点の階調値を所定値と比較し、階調値が所定値以上である画素点が少なくとも１つ存在すると判断したとき、表示チップは、液晶パネルのリフレッシュレートを第２のリフレッシュレートから第１のリフレッシュレートに調整する。
【００７９】
好ましくは、表示チップは、第２の表示コンテンツの各画素点の階調値がいずれも所定値より小さいと判断したとき、液晶パネルのリフレッシュレートを第２のリフレッシュレートのまま維持する。
【００８０】
説明すべきことは、上記「第１の」および「第２の」が、特別に指定する意味を持たず、液晶パネル上に表示された任意の２つのフレームの隣接するフレームコンテンツを指してもよい。
【００８１】
このように、本発明の実施例に供される液晶表示方法によれば、液晶パネルの第１の表示コンテンツにおける各画素点の階調値を取得し、現在の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整することにより、バックライト光源の消費電力を低減するだけで端末の消費電力を低減し、消費電力の低減に限度があるという関連技術の問題を解決し、端末における液晶パネルおよび表示チップの消費電力の低減を図り、端末の消費電力をさらに大きく低減する効果を奏する。
【００８２】
このように、本発明の実施例に供される方法では、表示コンテンツの各画素点の階調値がいずれも所定値より小さい場合、つまり、表示コンテンツの輝度が低い場合に限って、液晶パネルのリフレッシュレートを低減する一方、表示コンテンツの輝度が高い場合、高いリフレッシュレートを維持するため、端末の消費電力を低減するに加えて、表示コンテンツの正常表示の効果も保証され、基本的に表示効果に影響を与えない。
【００８３】
このように、本発明の実施例に供される方法によれば、表示チップが画素点の階調値を取得して、且つ所定値より小さいかどうかを判断することで、リフレッシュレートを調整し、プロセッサの負荷を低減する効果を奏する。
【００８４】
図４および図５に示す実施例に基づく他の好適な実施例では、ステップ４０１およびステップ５０１の前に、他のステップをさらに含む。図６に示すように、ステップ６０１およびステップ６０２をさらに含む。
【００８５】
ステップ６０１では、静的表示モードと動的表示モードとを含む現在表示モードを取得し、静的表示モードは、表示コンテンツが所定時間内で変化しない表示モードであり、動的表示モードは、表示コンテンツが所定時間内で変化する表示モードである。
【００８６】
現在表示モードは、現在の表示コンテンツに対応する表示モードであり、現在表示モードを取得するには、複数の実現形態があり得る。
【００８７】
ある可能な実施方法では、プロセッサは、現在の表示シーンを判断することで現在表示モードを取得してもよく、静的表示シーンにおいて、表示コンテンツの変化頻度が小さいため、プロセッサは、現在表示モードを静的表示モードとして判断し、動的表示シーンにおいて、表示コンテンツが頻繁に変化するため、プロセッサは、現在表示モードを動的表示モードとして判断する。例えば、ビデオが動的表示シーンであるため、プロセッサは、現在ビデオを再生していると検出したとき、動的表示モードであると判断する一方、デスクトップ画面ロックが静的表示シーンであるため、プロセッサは、現在画面ロック環境であると検出したとき、静的表示モードであると判断する。
【００８８】
好ましくは、ユーザは、異なる表示シーンを予め分類し、それぞれが静的表示シーンに属するかそれとも動的表示シーンに属するかを設定してもよい。
【００８９】
別の可能な実施形態では、プロセッサは、表示バッファエリア中の現在のフレームコンテンツおよびそれに隣接するフレームコンテンツを取得し、現在のフレームコンテンツとそれに隣接するフレームコンテンツとの画像データが同じであるかどうかを検出し、２フレームの画像データが同じであるとき、静的表示モードと判断し、２フレームの画像データが異なるとき、動的表示モードと判断する。
【００９０】
プロセッサは、他の方法で現在表示モードを取得してもよく、所定時間は、端末によって予め設定された適当値であってもよいし、ユーザによってカスタマイズされたものであってもよい。本発明は、所定時間の設定および現在表示モードを取得する方法について限定しない。
【００９１】
好ましくは、プロセッサが時間周期Ｔおきに現在表示モードを判断し、本発明の実施例は、時間周期Ｔの値について限定しない。
【００９２】
ステップ６０２では、現在表示モードが静的表示モードであることに応じて、液晶パネルの第１の表示コンテンツにおける各画素点の階調値の取得を実行する。
【００９３】
プロセッサは、現在表示モードが静的表示モードであると判断したとき、現在表示している第１の表示コンテンツが所定時間内で変化しないとみなすため、第１の表示コンテンツにおける各画素点の階調値の取得を実行する。
【００９４】
好ましくは、プロセッサは、現在表示モードが動的表示モードであると判断したとき、液晶パネルのリフレッシュレートを調整しない。
【００９５】
ある具体例では、端末に表示されたのが電子アルバムであり、第１の表示コンテンツが画像フレームであり、５秒毎に１フレームの新たな画像フレームを更新し、液晶パネルの第１のリフレッシュレートが６０Ｈｚであり、フレーム１、フレーム２…にて異なるフレームコンテンツの画像フレームを表し、第１の表示コンテンツがフレーム１である。
【００９６】
プロセッサによって取得された現在表示モードが静的表示モードである場合、第１の表示コンテンツの各画素点の階調値を取得し、所定値が５とし、第１の表示コンテンツの各画素点の階調値がいずれも０とし、所定値５より小さく、その際の第１の表示コンテンツが黒色画像であるため、液晶パネルのリフレッシュレートを第２のリフレッシュレート１Ｈｚに調整し、表示チップは、１ｓ毎に画像フレームを液晶パネルにリフレッシュして表示する。
【００９７】
液晶パネルの１回目のリフレッシュ後、表示コンテンツが相変わらずフレーム１である場合、その際の表示コンテンツがまだ第１の表示コンテンツであるとみなし、リフレッシュレートを第２のリフレッシュレートのまま維持する。
【００９８】
液晶ディスプレイスクリーンの５回目のリフレッシュ後、初めて表示コンテンツがフレーム２に切り替えられ、第１の表示コンテンツのフレームコンテンツと異なり、第２の表示コンテンツであるため、第２の表示コンテンツにおける各画素点の階調値を取得する。階調値が１０である画素点が１つ存在するとすれば、所定値より大きいため、液晶表示パネルのリフレッシュレートを第１のリフレッシュレートに調整する。
【００９９】
図７は、本発明の一実施例による液晶表示装置を示すブロック図である。本実施例は、当該液晶表示方法を図１に示す端末に適用することを例として説明する。当該装置は、
液晶パネルの第１の表示コンテンツにおける各画素点の階調値を取得するように構成される第１の取得モジュール７０２と、
第１の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整するように構成される第１の調整モジュール７０４と、を備える。
【０１００】
このように、本発明の実施例に供される液晶表示装置によれば、液晶パネルの第１の表示コンテンツにおける各画素点の階調値を取得し、現在の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整することにより、バックライト光源の消費電力を低減するだけで端末の消費電力を低減するという従来技術の問題を解決し、端末における液晶パネルおよび表示チップの消費電力の低減を図り、端末の消費電力をさらに低減する効果を奏する。
【０１０１】
図８は、本発明の別の実施例による液晶表示装置を示すブロック図である。本実施例は、当該液晶表示方法を図１に示す端末に適用することを例として説明する。当該装置は、
表示コンテンツが所定時間内で変化しない静的表示モードと表示コンテンツが所定時間内で変化する動的表示モードとを含む現在表示モードを取得するように構成される取得モジュール８０１と、
現在表示モードが静的表示モードであることに応じて、液晶パネルの第１の表示コンテンツにおける各画素点の階調値を取得するように構成される第１の取得モジュール８０２と、
第１の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整するように構成される第１の調整モジュール８０３と、を備える。
【０１０２】
第１の調整モジュール８０３は、２種の可能な実現形態を有する。
【０１０３】
第１種実現形態では、第１の調整モジュール８０３は、プロセッサおよび表示チップによって共同構成され、第１の調整モジュール８０３は、図９に示すように、第１の送信サブモジュール８０３ａと第１の調整サブモジュール８０３ｂとを備える。
【０１０４】
第１の送信サブモジュール８０３ａは、第１の表示コンテンツにおける各画素点の階調値がいずれも所定値より小さいことに応じて、プロセッサを通じてリフレッシュレート調整指令を表示チップへ送信するように構成される。
【０１０５】
第１の調整サブモジュール８０３ｂは、リフレッシュレート調整指令に応じて、表示チップを通じて液晶パネルのリフレッシュレートを第１のリフレッシュレートから第２のリフレッシュレートへ調整するように構成される。
【０１０６】
第２種実現形態では、第１の調整モジュール８０３は、表示チップによって単独構成され、第１の調整モジュール８０３は、具体的に、第１の表示コンテンツにおける各画素点の階調値がいずれも所定値より小さいことに応じて、表示チップを通じて液晶パネルのリフレッシュレートを第１のリフレッシュレートから第２のリフレッシュレートへ調整するように構成される。
【０１０７】
第２の取得モジュール８０４は、液晶パネルの第２の表示コンテンツにおける各画素点の階調値を取得するように構成され、第２の表示コンテンツは、第１の表示コンテンツの後に表示された表示コンテンツである。
【０１０８】
第２の調整モジュール８０５は、階調値が所定値以上である画素点が第２の表示コンテンツに少なくとも１つ存在することに応じて、液晶パネルのリフレッシュレートを第２のリフレッシュレートから第１のリフレッシュレートに調整するように構成される。
【０１０９】
第１の調整モジュール８０３の実現形態に対応して、第２の調整モジュール８０５も２種の可能な実現形態を有する。
【０１１０】
第１の調整モジュール８０３が第１種実現形態を利用する場合、第２の調整モジュールもプロセッサおよび表示チップによって共同構成され、第２の調整モジュール８０５は、図１０に示すように、第２の送信サブモジュール８０５ａと第２の調整サブモジュール８０５ｂとを備える。
【０１１１】
第２の送信サブモジュール８０５ａは、階調値が所定値以上である画素点が第２の表示コンテンツに少なくとも１つ存在することに応じて、プロセッサを通じてリフレッシュレート調整指令を表示チップへ送信するように構成される。
【０１１２】
第２の調整サブモジュール８０５ｂは、リフレッシュレート調整指令に応じて、表示チップを通じて液晶パネルのリフレッシュレートを第２のリフレッシュレートから第１のリフレッシュレートに調整するように構成される。
【０１１３】
第１の調整モジュール８０３が第２種実現形態を利用する場合、第２の調整モジュールも表示チップによって単独構成され、第２の調整モジュール８０５は、具体的に、階調値が所定値以上である画素点が第２の表示コンテンツに少なくとも１つ存在することに応じて、表示チップを通じて液晶パネルのリフレッシュレートを第２のリフレッシュレートから第１のリフレッシュレートに調整するように構成される。
【０１１４】
このように、本発明の実施例に供される液晶表示装置によれば、液晶パネルの第１の表示コンテンツにおける各画素点の階調値を取得し、現在の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整することにより、バックライト光源の消費電力を低減するだけで端末の消費電力を低減するという従来技術の問題を解決し、端末における液晶パネルおよび表示チップの消費電力の低減を図るため、端末の消費電力を低減する効果を一層高める。
【０１１５】
このように、本発明の実施例に供される装置では、表示コンテンツの各画素点の階調値がいずれも所定値より小さい場合、つまり、表示コンテンツの輝度が低い場合に限って、液晶パネルのリフレッシュレートを低減する一方、表示コンテンツの輝度が高い場合、高いリフレッシュレートを維持するため、端末の消費電力を低減するに加えて、表示コンテンツの正常表示の効果も保証され、基本的に表示効果に影響を与えない。
【０１１６】
上記実施例における装置について、各モジュールが操作を実行する具体的な方式が当該方法に関する実施例で詳細に記述されたため、ここで詳しく説明しない。
【０１１７】
本発明の一実施例は、本発明に供される液晶表示方法を実行可能な液晶表示装置を提供する。当該装置は、プロセッサと、プロセッサに接続された表示チップと、プロセッサの実行可能な指令を記憶するためのメモリとを備える。
【０１１８】
プロセッサあるいは表示チップは、
液晶パネルの第１の表示コンテンツにおける各画素点の階調値を取得し、
第１の表示コンテンツにおける各画素点の階調値がいずれも所定値より小さいことに応じて、液晶パネルのリフレッシュレートを第１のリフレッシュレートから当該第１のリフレッシュレートより小さい第２のリフレッシュレートへ調整するように構成される。
【０１１９】
好ましくは、プロセッサあるいは表示チップは、
第１の表示コンテンツにおける各画素点の階調値がいずれも所定値より小さいことに応じて、プロセッサを通じてリフレッシュレート調整指令を表示チップへ送信し、
リフレッシュレート調整指令に応じて、表示チップを通じて液晶パネルのリフレッシュレートを第１のリフレッシュレートから第２のリフレッシュレートへ調整するように構成される。
【０１２０】
好ましくは、プロセッサあるいは表示チップは、
液晶パネルの第２の表示コンテンツにおける各画素点の階調値を取得し、
階調値が所定値以上である画素点が第２の表示コンテンツに少なくとも１つ存在することに応じて、液晶パネルのリフレッシュレートを第２のリフレッシュレートから第１のリフレッシュレートに調整するように構成される。
【０１２１】
好ましくは、プロセッサあるいは表示チップは、
表示コンテンツが所定時間内で変化しない静的表示モードと表示コンテンツが所定時間内で変化する動的表示モードとを含む現在表示モードを取得し、
現在表示モードが静的表示モードであることに応じて、液晶パネルの第１の表示コンテンツにおける各画素点の階調値の取得を実行するように構成される。
【０１２２】
図１１は、一実施例による液晶表示を示すブロック図である。例えば、装置１１００は、携帯電話、コンピュータ、タブレットデバイス、医療設備、電子書籍リーダー、ＭＰ３プレーヤー、ＭＰ４プレーヤー、フィットネス設備、ＰＤＡなどであってもよい。
【０１２３】
図１１を参照すると、装置１１００は、処理ユニット１１０２、メモリ１１０４、電源ユニット１１０６、マルチメディアユニット１１０８、オーディオユニット１１１０、入力／出力（Ｉ／Ｏ）インターフェース１１１２、センサユニット１１１４、および、通信ユニット１１１６のうちの１つまたは複数を含んでもよい。
【０１２４】
処理ユニット１１０２は、通常は、表示、電話発呼、データ通信、カメラ操作および記録操作に関連する操作のような、装置１１００の全般操作を制御する。処理ユニット１１０２は、上記方法の全部または一部のステップを実施させるように、指令を実行するための１つまたは複数のプロセッサ１１１８を含んでもよい。また、処理ユニット１１０２は、処理ユニット１１０２と他のユニットとの間の相互作用を容易にするように、１つ又は複数のモジュールを含んでもよい。例えば、処理ユニット１１０２は、マルチメディアユニット１１０８と処理ユニット１１０２との間の相互作用を容易にするように、マルチメディアモジュールを含んでもよい。
【０１２５】
メモリ１１０４は、各タイプのデータを記憶して装置１１００での操作をサポートするように構成される。これらのデータの例示は、装置１１００で操作するための任意のアプリケーションもしくは方法の指令、連絡先データ、電話帳データ、メッセージ、ピクチャ、ビデオなどを含む。メモリ１１０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１２６】
電源ユニット１１０６は、装置１１００のユニットのそれぞれに電力を供給する。電源ユニット１１０６は、電源管理システム、１つまたは複数の電源、並びに、装置１１００用の電力を生成、管理および配分するに関する他のユニットを含んでもよい。
【０１２７】
マルチメディアユニット１１０８は、装置１１００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。タッチセンサは、タッチあるいはスライド動作の境界を感知するだけではなく、タッチあるいはスライド操作と関連する持続時間および圧力をさらに検出することができる。一部の実施例では、マルチメディアユニット１１０８は、１つのフロントカメラおよび/またはバックカメラを含む。装置１１００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１２８】
オーディオユニット１１１０は、オーディオ信号を出力および/または入力するように構成される。例えば、オーディオユニット１１１０は、マイク（ＭＩＣ）を備え、装置１１００が操作モード、例えば、発呼モード、記録モードおよび音声識別モードであるとき、マイクは、外部オーディオ信号を受信するように構成される。受信されたオーディオ信号は、さらに、メモリ１１０４に格納される、または、通信ユニット１１１６を介して送信されることができる。一部の実施例では、オーディオユニット１１１０は、オーディオ信号を出力するためのスピーカをさらに含む。
【０１２９】
Ｉ／Ｏインターフェース１１１２は、処理ユニット１１０２とペリフェラルインターフェースモジュールとの間でインターフェースを供給するものであり、上記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１３０】
センサユニット１１１４は、様々な側面での状態推定を装置１１００に供給するための１つまたは複数のセンサを含む。例えば、センサユニット１１１４は、装置１１００のオン/オフ状態、ユニットの相対位置を検出することができ、ユニットは、例えば、装置１１００のディスプレイおよびキーパッドである。センサユニット１１１４は、さらに、装置１１００もしくは装置１１００の１つのユニットの位置変更、ユーザと装置１１００との接触の存在もしくは非存在、装置１１００の方位もしくは加速/減速および装置１１００の温度変化をさらに検出することができる。センサユニット１１１４は、如何なる物理的接触もないとき、近辺にある物体の存在を検出するための近接センサを含んでもよい。センサユニット１１１４は、さらに、イメージングアプリケーションに使用される光センサ、例えばＣＭＯＳまたはＣＣＤ画像センサを含んでもよい。一部の実施例では、当該センサユニット１１１４は、さらに、加速度センサ、ジャイロセンサ、磁気センサ、圧力センサまたは温度センサを含んでもよい。
【０１３１】
通信ユニット１１１６は、装置１１００と他の機器間の無線または有線方式の通信ができるように構成される。装置１１００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット１１１６は、外部ブロードキャスト管理システムからのブロードキャスト信号またはブロードキャスト関連情報をブロードキャストチャネルを介して受信する。ある実施例では、通信ユニット１１１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【０１３２】
実施例では、装置１１００は、上記液晶表示方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１３３】
実施例では、指令を含む非一時的コンピュータ読み取り可能な記憶媒体、例えば、指令を含むメモリ１１０４をさらに提供し、上記指令が装置１１００のプロセッサ１１１８によって実行されることで上記液晶表示方法を実施させることができる。例えば、非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであってもよい。
【０１３４】
当業者は、明細書を考慮し、ここに公開された開示を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１３５】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【０１３６】
本願は、出願番号が２０１５１０７７２７５６.２であり、出願日が２０１５年１１月１２日である中国特許出願に基づいて優先権を主張する。当該中国特許出願の全ての内容は、ここに参考として引用される。
【図１】
0006401785.tif 000002
【図２】
0006401785.tif 000003
【図３】
0006401785.tif 000004
【図４】
0006401785.tif 000005
【図５】
0006401785.tif 000006
【図６】
0006401785.tif 000007
【図７】
0006401785.tif 000008
【図８】
0006401785.tif 000009
【図９】
0006401785.tif 000010
【図１０】
0006401785.tif 000011
【図１１】
0006401785.tif 000012